(57)【特許請求の範囲】
【請求項１】
操作キーを有する操作手段と、
短縮コードに対応する電話番号と電子メールアドレスを記憶する記憶手段と、
文書を格納する文書記憶手段と、
前記操作手段によって短縮コードが入力された場合において、該短縮コードに対応する電子メールアドレスが前記記憶手段に記憶されているか否か判断し、該電子メールアドレスが記憶されている場合には、前記文書記憶手段に格納されている文書から前記操作手段によって入力された文書番号に対応する文書を選択して、該電子メールアドレス宛に送信するように制御する制御手段と、
を備えた通信装置。
【請求項２】
前記送信する文書は、リスト表示された文書から選択された文書であることを特徴とする請求項１に記載の通信装置。
【請求項３】
前記操作手段によって短縮コードが入力された場合において、
ダイヤル発信するかあるいは文書を送信するかを、前記短縮コードの入力のあとに操作されたキーに基づいて決定し、
該短縮コードに基づいてダイヤル発信する場合には、該短縮コードに対応する電話番号が前記記憶手段に記憶されているか否か判断し、該電話番号が記憶されている場合には該電話番号をダイヤル発信することを特徴とする請求項１または２のいずれかに記載の通信装置。
【請求項４】
前記操作手段によって入力されたコードが、短縮コードかあるいは電話番号かどうかを判断するコード判断手段をさらに備え、
前記コード判断手段が、前記操作手段によって入力されたコードを電話番号と判断した場合には、該コードをダイヤル発信することを特徴とする請求項１乃至３のいずれか一項に記載の通信装置。
【請求項５】
前記コード判断手段は、前記操作手段によって入力されたコードが、短縮コードかあるいは電話番号かどうかをコードの桁数によって判断することを特徴とする請求項４に記載の通信装置。
【請求項６】
操作キーを有する操作手段を備えた通信装置の制御方法において、
短縮コードに対応する電話番号と電子メールアドレスを記憶する記憶ステップと、
文書を格納する文書記憶ステップと、
前記操作手段によって短縮コードが入力された場合において、前記操作手段によって入力された短縮コードに対応する電子メールアドレスを前記記憶ステップで記憶しているか否か判断し、記憶している場合には、前記文書記憶ステップで格納した文書から前記操作手段によって入力された文書番号に対応する文書を選択して、前記電子メールアドレス宛に送信するように制御する制御ステップとを、前記通信装置に実行させることを特徴とする通信装置の制御方法。
【請求項７】
前記送信する文書は、リスト表示された文書から選択された文書であることを特徴とする請求項６に記載の通信装置の制御方法。
【請求項８】
前記操作手段によって短縮コードが入力された場合において、
ダイヤル発信するかあるいは文書を送信するかを、前記操作手段によって前記短縮コードの入力のあとに操作されたキーに基づいて決定する決定ステップをさらに前記通信装置に実行させ、
前記制御ステップは、前記決定ステップで、ダイヤル発信する旨を決定した場合、前記操作手段によって入力された短縮コードに対応する電話番号を前記記憶ステップで記憶しているか否か判断し、記憶している場合には、該電話番号をダイヤル発信する処理を含むステップであることを特徴とする請求項６または７のいずれかに記載の通信装置の制御方法。
【請求項９】
前記操作手段によって入力されたコードが、短縮コードかあるいは電話番号かどうかを判断するコード判断ステップをさらに前記通信装置に実行させ、
前記制御ステップは、前記コード判断ステップで、前記操作手段によって入力されたコードを電話番号と判断した場合には、該コードをダイヤル発信する処理を含むステップであることを特徴とする請求項６乃至８のいずれか一項に記載の通信装置の制御方法。
【請求項１０】
前記コード判断ステップは、前記操作手段によって入力されたコードが、短縮コードかあるいは電話番号かどうかをコードの桁数によって判断するステップであることを特徴とする請求項９に記載の通信装置の制御方法。
【請求項１１】
通信装置を制御するコンピュータに、請求項６乃至１０のいずれか一項に記載の通信装置の制御方法の各ステップを実行させるためのプログラム。
【発明の詳細な説明】
【技術分野】
【０００１】
本発明は、電子メール送信を簡便な手順で素早く行うことができる通信装置およびその制御方法およびプログラムに関する。
【背景技術】
【０００２】
図６は、従来の携帯型電話機６の外観を示すもので、携帯型電話機６は、テンキー６１１と操作キー群６１２とを備え、操作キー群６１２は、ダイヤル発信／電子メール送信キー６１２１、カーソルキー６１２２、実行キー６１２３、電源キー６１２４とが含まれる。携帯型電話機６は、電源オン時にはダイヤル発信モード（通話モード）となっている。ダイヤル発信／電子メール送信キー６１２１を押下することにより、電話番号を無線通信回線を介して相手先に送信し、あるいは電子メール文書を無線通信回線を介して指定した電子メールアドレスに送信することができる。
【０００３】
携帯型電話機６は液晶のディスプレイ６２を有し、このディスプレイに電話機本体に内蔵された電話帳テーブルに記憶された電話番号を適宜呼び出して表示し、あるいは内蔵の簡易エディタを起動してディスプレイ６２において編集等をすることができる。
【０００４】
携帯型電話機６の動作を図７および図８のフローチャートにより説明する。まず、コード（数字列または文字列）がテンキー６１１から入力されると、携帯型電話機６の図示しない制御部は、入力されたコードを取得し（Ｓ６０１）、当該コードが電話番号であるか短縮コードまたは検索キーであるかをチェックする（Ｓ６０２）。制御部は、取得したコードが電話番号であるときは、当該電話番号と同一の電話番号が電話帳テーブルに登録されているか否かをチェックし（Ｓ６０３）、同一電話番号が電話帳テーブルに登録されているときは、後述するステップ６０９に処理を渡す。
【０００５】
ステップ６０３において、同一電話番号が電話帳テーブルに登録されていないときは、制御部は、ディスプレイ６２に、名前および電話番号を表示し（Ｓ６０４）、ダイヤル発信／電子メール送信キー６１２１が押されるのを待つ（Ｓ６０５）。そして、ダイヤル発信／電子メール送信キー６１２１が押されたときは、ダイヤル発信を行い、通話が終了したときに（Ｓ６０６）処理を終了する（図７の「エンド」：すなわち、状態を電源オン時に戻す）。
【０００６】
ステップＳ６０２において、ユーザにより入力されたコードが短縮コードまたは検索キーであるときは、図８に示すように、短縮コードまたは検索キーが電話帳テーブルに登録されているか否かをチェックし（Ｓ６０８）、登録されていないときは処理を終了する（図７の「エンド」）。ステップＳ６０８において、短縮コードまたは検索キーが電話帳テーブルに登録されている場合には、電子メールアドレスが短縮コードまたは検索キーとともに登録されているかをチェックする（Ｓ６０９）。電子メールアドレスが電話帳テーブルに登録されていないときは、ステップＳ６０４（図７参照）に処理を渡し、電子メールアドレスが電話帳テーブルに登録されているときは、氏名，電話番号とともに、たとえば「電子メールアドレスあり」をディスプレイ６２に表示する（Ｓ６１０）。
【０００７】
ついで、メール送信が選択がなされたか、ダイヤル発信が選択されたか（ダイヤル発信／電子メール送信キー６１２１が押されたか）をチェックし（Ｓ６１１）、ダイヤル発信／電子メール送信キー６１２１が押されたときは、前述したステップＳ６０６（図７参照）に処理を渡し、ダイヤル発信を行う。ステップＳ６１１において、メール選択がなされたときは、電子メール選択画面または電子メール作成画面をディスプレイ６２に表示し。電子メール選択、電子メール作成がなされた否かをチェックする（Ｓ６１２）。電子メール選択は、予め作成されている電子メールを、当該電子メールに付された文書番号を、リストの中から指定することにより行われ、電子メール作成は、制御部が簡易エディタを起動することにより行われる。
【０００８】
電子メール選択または電子メール作成が行われると、制御部は、ダイヤル発信／電子メール送信キー６１２１が押されるのを待って（Ｓ６１４）、電子メールの送信を行い（Ｓ６１５）、処理を終了する（図８の「エンド」参照）。
【発明の開示】
【発明が解決しようとする課題】
【０００９】
しかし、図６に示した携帯型電話機６において、電子メール送信では、短縮コードをキー入力したときには、直接電子メールアドレスが表示されない。すなわち、電子メールを送信する場合には、電話番号を表示した後に、電子メールアドレスを指定しなければならず、ユーザの操作回数が多くなるといった問題がある。
【００１０】
本発明は、少ない操作回数で電子メールを素早く送信することができる通信装置およびその制御方法およびプログラムを提供することを目的とする。
【課題を解決するための手段】
【００１１】
本発明の通信装置は、操作キーを有する操作手段と、短縮コードに対応する電話番号と電子メールアドレスを記憶する記憶手段と、文書を格納する文書記憶手段と、上記操作手段によって短縮コードが入力された場合において、該短縮コードに対応する電子メールアドレスが上記記憶手段に記憶されているか否か判断し、該電子メールアドレスが記憶されている場合には、上記文書記憶手段に格納されている文書から上記操作手段によって入力された文書番号に対応する文書を選択して、上記電子メールアドレス宛に送信するように制御する制御手段と、を備えたものである。
上記送信する文書は、リスト表示された文書から選択された文書であってよい。
上記操作手段によって短縮コードが入力された場合において、ダイヤル発信するかあるいは文書を送信するかを、前記短縮コードの入力のあとに操作されたキーに基づいて決定し、該短縮コードに基づいてダイヤル発信する場合には、該短縮コードに対応する電話番号が上記記憶手段に記憶されているか否か判断し、該電話番号が記憶されている場合には該電話番号をダイヤル発信するとよい。
上記操作手段によって入力されたコードが、短縮コードかあるいは電話番号かどうかを判断するコード判断手段をさらに備え、上記コード判断手段が、上記操作手段によって入力されたコードを電話番号と判断した場合には、該コードをダイヤル発信するとよい。
上記コード判断手段は、上記操作手段によって入力されたコードが、短縮コードかあるいは電話番号かどうかをコードの桁数によって判断するとよい。
【００１２】
また、本発明の通信装置の制御方法は、操作キーを有する操作手段を備えた通信装置の制御方法において、短縮コードに対応する電話番号と電子メールアドレスを記憶する記憶ステップと、文書を格納する文書記憶ステップと、上記操作手段によって短縮コードが入力された場合において、上記操作手段によって入力された短縮コードに対応する電子メールアドレスを上記記憶ステップで記憶しているか否か判断し、記憶している場合には、上記文書記憶ステップで格納した文書から上記操作手段によって入力された文書番号に対応する文書を選択して、上記電子メールアドレス宛に送信するように制御する制御ステップとを、上記通信装置に実行させるようにしたものである。
上記送信する文書は、リスト表示された文書から選択された文書であってよい。
上記操作手段によって短縮コードが入力された場合において、ダイヤル発信するかあるいは文書を送信するかを、上記操作手段によって上記短縮コードの入力のあとに操作されたキーに基づいて決定する決定ステップをさらに上記通信装置に実行させ、上記制御ステップは、上記決定ステップで、ダイヤル発信する旨を決定した場合、上記操作手段によって入力された短縮コードに対応する電話番号を上記記憶ステップで記憶しているか否か判断し、記憶している場合には、該電話番号をダイヤル発信する処理を含むステップであってよい。
上記操作手段によって入力されたコードが、短縮コードかあるいは電話番号かどうかを判断するコード判断ステップをさらに上記通信装置に実行させ、上記制御ステップは、上記コード判断ステップで、上記操作手段によって入力されたコードを電話番号と判断した場合には、該コードをダイヤル発信する処理を含むステップであってよい。
上記コード判断ステップは、上記操作手段によって入力されたコードが、短縮コードかあるいは電話番号かどうかをコードの桁数によって判断するステップであってよい。
また、本発明は、通信装置を制御するコンピュータに、上記の通信装置の制御方法の各ステップを実行させるためのプログラムも提供する。
【発明の効果】
【００１６】
本発明では、電子メール送信を簡便な手順で素早く行うことができる。すなわち、本発明のデータ通信装置は、短縮コードが入力され、直後に所定のキーが押され、かつメール文書が送信されたときは、当該短縮コードに対応する電子メールアドレスへのメール送信が可能となり、少ない操作回数での電子メール送信を行うことができるようになる。
【発明を実施するための最良の形態】
【００１７】
図１は、本発明の携帯型電話機のブロック図である。図１において、携帯型電話機１は、操作部１１と、表示部１２と、制御部１３と、記憶部１４と、通信部１５とを備えている。
【００１８】
操作部１１は、図２の携帯型電話機の外観図に示すように、テンキー１１１と、操作キー群１１２とを備えている。テンキー１１１は、「０」〜「９」，「＊」，「♯」の１２個のキーからなり、操作キー群１１２は、ダイヤル発信／電子メール送信キー１１２１、カーソルキー（シーソーキー）１１２２、実行キー１１２３、電源キー１１２４、モード変更キー１１２５を備えている。本実施形態では、モード変更キー１１２５は、通話モードから電子メール送信モードへの変更や、電子メール送信モードから通話モードへの変更を行うことができる。
なお、各種の機能選択は、たとえばシーソーキー１１２２等の操作により行うこともできるが、本実施形態では機能選択についての説明は省略する。
【００１９】
デフォルト（電源オン時）ではダイヤル発信モードとなっており、電子メール送信は、後述するように、モード変更キー１１２５を押すことにより行うことができる。
【００２０】
ダイヤル発信に際しては、ダイヤル発信／電子メール送信キー１１２１を押下することにより、電話番号を通信部１５から無線通信回線を介して相手先に送信することができる。
【００２１】
また、電子メール送信に際しては、ダイヤル発信／電子メール送信キー１１２１を押することにより、電子メール文書を通信部１５から無線通信回線を介して相手方の電子メールアドレスに送信することができる。
【００２２】
制御部１３は、ＣＰＵ１３１、図示しない時計等を備えている。また、記憶部１４は、プログラムドＲＯＭ１４１と、不揮発性ＲＡＭ１４２と、ワークＲＡＭ１４３とを備えている。プログラムドＲＯＭ１４１には、電話番号登録プログラムｐｒｇ＿０１、電子メールアドレス登録プログラムｐｒｇ＿０２、短縮ダイヤルプログラムｐｒｇ＿０３、電子メール選択プログラムｐｒｇ＿０４、電子メール作成用プログラムｐｒｇ＿０５等が格納されている。不揮発性ＲＡＭ１４２には、図３（Ａ）に示すような電話帳テーブルＴＢＬが確保されており、各レコードは、名前フィールド、電話番号フィールド、短縮番号フィールド、電子メールアドレスフィールドからなる。また、電子メール文書は、不揮発性ＲＡＭ１４２に蓄積される。図３（Ｂ）に不揮発性ＲＡＭ１４２に蓄積された電子メール文書を例示する。
【００２３】
携帯型電話機１の動作を図４および図５のフローチャートにより説明する。
まず、ユーザは、予め、メール作成用プログラムｐｒｇ＿０５を用いて電子メール文書を作成してあるものとする。たとえば、この文書リストをＤ＿００，Ｄ＿０１，・・・，Ｄ＿９９とし（図３（Ｂ）参照）、これらは、電子メール送信モードにおいては、テンキー１１１から「ｘｙ」（ｘ＝０〜９，ｙ＝０〜９）を入力することにより指定できるものとする。
【００２４】
通常状態（電源オン時のデフォルト状態）から、コード（通常は、数字列）がテンキー１１１から入力され、実行キー１１２３が押されると、制御部１３は入力されたコードを取得し（Ｓ１０１）、当該コードが電話番号であるか短縮コードであるかをチェックする（Ｓ１０２）。
【００２５】
たとえば、制御部１３は、入力コードが７桁以上である場合には、電話番号と判断することができる。また、短縮コードが００〜９９までの２桁の数字で表されるとすると、入力コードが２桁である場合には、当該コードは短縮コードである。
【００２６】
ステップＳ１０２において、入力された短縮コードが電話番号であるとされる場合には、通信部１５によりダイヤル発信して相手側に接続し（Ｓ１０５）、通話が終了したときは（Ｓ１０６）処理を終了する（「エンド」）。
【００２７】
一方、ステップＳ１０２において、入力されたコードが短縮コードである場合、モード変更キー１１２５，ダイヤル発信／メール送信キー１１２１のどちらが押されたかを判断し（Ｓ１０３）、ダイヤル発信／メール送信キー１１２１が押されたときは、短縮コードに対応する電話番号が電話帳テーブルＴＢＬに登録されているか否かをチェックし（Ｓ１０４）、短縮コードに対応する電話番号が電話帳テーブルＴＢＬに登録されていないときは、処理を終了する（「エンド」）。
【００２８】
ステップＳ１０４で、短縮コードに対応する電話番号が電話帳テーブルＴＢＬに登録されているときは、ダイヤル発信して相手側に接続し（Ｓ１０５）、通話が終了したときは（Ｓ１０６）処理を終了する（「エンド」）。
【００２９】
上記のステップＳ１０３で、モード変更キー１１２５が押されたときは、短縮番号に対応するメールアドレスが電話帳テーブルＴＢＬに登録されているか否かをチェックし（Ｓ１０７）、登録されていないとき（たとえば、図３（Ａ）の短縮番号「０１」のレコードがこの場合にあたる）は処理を終了する（「エンド」）。
【００３０】
ステップＳ１０７で、短縮コードに対応する電子メールアドレスが電話帳テーブルＴＢＬに登録されているときは、制御部１３は電子メール選択プログラムｐｒｇ＿０４を起動して、メール選択リストを表示部１２に表示する（Ｓ１０８）。この場合のリストの表示順は、前回の電子メール送信において送信した電子メール文書が第１番目に表示されるようにできる。
【００３１】
そして、電子メール文書の選択が行われたとき（Ｓ１０９）は、当該メール文書を送信する（Ｓ１１０）。
たとえば、短縮番号が、「００」であり、電子メール文書がＤ＿０２のときには、「００＊０２」が表示部１２に表示されるようにできる。
【図面の簡単な説明】
【００３２】
【図１】本発明の携帯型電話機のブロック図を示す図である。
【図２】本発明における携帯型電話機の外観図である。
【図３】（Ａ）は電話帳テーブルを例示する図、（Ｂ）は不揮発性ＲＡＭに蓄積された電子メール文書を例示する図である。
【図４】図１および図２に示した携帯型電話機の動作を示すフローチャートの一部を示す図である。
【図５】図１および図２に示した携帯型電話機の動作を示すフローチャートの残り部分を示す図である。
【図６】従来の携帯型電話機の外観図である。
【図７】図６に示した携帯型電話機の動作を示すフローチャートの一部を示す図である。
【図８】図６に示した携帯型電話機の動作を示すフローチャートの残り部分を示す図である。
【符号の説明】
【００３３】
１  携帯型電話機
１１  操作部
１２  表示部
１３  制御部
１４  記憶部
１５  通信部
１１１  テンキー
１１２  操作キー群
１３１  ＣＰＵ
１４１  プログラムドＲＯＭ
１４２  不揮発性ＲＡＭ
１４３  ワークＲＡＭ
１１２１  ダイヤル発信／電子メール送信キー
１１２２  カーソルキー（シーソーキー）
１１２３  実行キー
１１２４  電源キー
１１２５  モード変更キー
【図１】
0004555312.tif 000002
【図２】
0004555312.tif 000003
【図３】
0004555312.tif 000004
【図４】
0004555312.tif 000005
【図５】
0004555312.tif 000006
【図６】
0004555312.tif 000007
【図７】
0004555312.tif 000008
【図８】
0004555312.tif 000009